(57)【要約】　　　（修正有）【課題】　吊り天井環境で使用するための忠実度が高いフラットパネル音響放射器システムであって、最も厳格な防火試験および建築基準法も満たす優れた防火性能も与えるシステムを提供する。【解決手段】　防火音響放射器アセンブリ１１であって、該防火音響放射器アセンブリは、以下：音響放射器であって、該音響放射器は、フレーム１３を有し、該フレームは、ダイヤフラム１４を支持する、音響放射器；変換器であって、該変換器は、該ダイヤフラム１４で再生されるオーディオプログラムに対応して、該ダイヤフラムに振動運動を与えるために、該ダイヤフラムに作動可能に連結される、変換器；および防火バックボックス２３であって、該防火バックボックスは、該放射器に取り付けられ、該放射器は、該ダイヤフラムを覆って実質的に取り囲み、該バックボックスは、その中に形成される開口部を有する、防火バックボックス、を含む、防火音響放射器アセンブリ。【選択図】　図１
2004120744.tif 000002
【特許請求の範囲】
【請求項１】
防火音響放射器アセンブリであって、該防火音響放射器アセンブリは、以下：
　音響放射器であって、該音響放射器は、フレームを有し、該フレームは、ダイヤフラムを支持する、音響放射器；
　変換器であって、該変換器は、該ダイヤフラムで再生されるオーディオプログラムに対応して、該ダイヤフラムに振動運動を与えるために、該ダイヤフラムに作動可能に連結される、変換器；および
　防火バックボックスであって、該防火バックボックスは、該放射器に取り付けられ、該放射器は、該ダイヤフラムを覆って実質的に取り囲み、該バックボックスは、その中に形成される開口部を有する、防火バックボックス、
を含む、防火音響放射器アセンブリ。
【請求項２】
前記開口部が、前記バックボックスにおける切り欠きにより形成され、さらに、多孔性パネルを含み、該多孔性パネルが、該切り欠きに取り付けられ、そこに架かっている、請求項１に記載の防火音響放射器アセンブリ。
【請求項３】
前記多孔性パネルが、約０立方フィート／平方フィート／分と約３９９立方フィート／平方フィート／分との間のＦｒａｓｉｅｒ空気流れを示す、請求項２に記載の防火音響放射器アセンブリ。
【請求項４】
前記多孔性パネルが、防火シート材料から形成される、請求項２に記載の防火音響放射器アセンブリ。
【請求項５】
前記多孔性パネルが、繊維ガラスシート材料から作製される、請求項４に記載の防火音響放射器アセンブリ。
【請求項６】
前記多孔性パネルが、不織繊維ガラスシート材料から作製される、請求項５に記載の防火音響放射器アセンブリ。
【請求項７】
前記多孔性パネルが、織りまたは不織シート材料から作製される、請求項４に記載の防火音響放射器アセンブリ。
【請求項８】
前記織りまたは不織シート材料が、織りまたは不織繊維ガラスシート材料である、請求項７に記載の防火音響放射器アセンブリ。
【請求項９】
防火フラットパネル放射器アセンブリであって、該防火フラットパネル放射器アセンブリは、以下：
　フラットパネル放射器であって、該フラットパネル放射器は、フレームを有し、該フレームは、ダイヤフラムを支持する、フラットパネル放射器；
　変換器であって、該変換器は、該ダイヤフラムで再生されるオーディオプログラムに対応して、該ダイヤフラムに振動運動を与えるために、該ダイヤフラムに作動可能に連結される、変換器；および
　防火バックボックスであって、該防火バックボックスは、該放射器に取り付けられ、該放射器は、該ダイヤフラムを覆って実質的に取り囲む、防火バックボックス、
を含む、防火フラットパネル放射器アセンブリ。
【請求項１０】
前記バックボックスに形成される切り欠き、および多孔性パネルをさらに含み、該多孔性パネルが、該切り欠きに取り付けられ、そこに架かっている、請求項９に記載の防火フラットパネル放射器アセンブリ。
【請求項１１】
前記多孔性パネルが、約０立方フィート／平方フィート／分と約３９９立方フィート／平方フィート／分との間のＦｒａｓｉｅｒ空気流れを示す、請求項１０に記載の防火フラットパネル放射器アセンブリ。
【請求項１２】
前記多孔性パネルが、防火シート材料から形成される、請求項１０に記載の防火フラットパネル放射器アセンブリ。
【請求項１３】
前記多孔性パネルが、繊維ガラスシート材料から作製される、請求項１２に記載の防火フラットパネル放射器アセンブリ。
【請求項１４】
前記多孔性パネルが、不織繊維ガラスシート材料から作製される、請求項１３に記載の防火フラットパネル放射器アセンブリ。
【請求項１５】
前記多孔性パネルが、不織シート材料から作製される、請求項１２に記載の防火フラットパネル放射器アセンブリ。
【請求項１６】
前記不織シート材料が、不織繊維ガラスシート材料である、請求項１５に記載の防火フラットパネル放射器アセンブリ。
【請求項１７】
前記フラットパネル放射器が、ブリッジを含み、そして前記バックボックスが、第一シェルおよび第二シェルを含み、該第一シェルが、該ブリッジの一面に取り付けられて、前記ダイヤフラムの第一部分を覆い、そして該第二シェルが、該ブリッジの他面に取り付けられて、該ダイヤフラムの第二部分を覆う、請求項９に記載の防火フラットパネル放射器アセンブリ。
【請求項１８】
前記シェルの少なくとも１個が、切り欠き部で形成され、さらに、シート材料の多孔性パネルを含み、該多孔性パネルが、該切り欠き部で取り付けられている、請求項１７に記載の防火フラットパネル放射器アセンブリ。
【請求項１９】
前記多孔性パネルが、約０立方フィート／平方フィート／分と約３９９立方フィート／平方フィート／分の間のＦｒａｓｉｅｒ空気流れを示す材料から作製される、請求項１８に記載の防火フラットパネル放射器アセンブリ。
【請求項２０】
前記多孔性パネルが、不織シート材料から作製される、請求項１９に記載の防火フラットパネル放射器アセンブリ。
【請求項２１】
前記多孔性パネルが、繊維ガラス材料から作製される、請求項２０に記載の防火フラットパネル放射器アセンブリ。
【請求項２２】
前記シェルの各々が、切り欠き部で形成され、ここで、シート材料の多孔性パネルが、各切り欠き部に取り付けられている、請求項１８に記載の防火フラットパネル放射器アセンブリ。
【請求項２３】
前記切り欠き部が、実質的に長方形である、請求項２２に記載の防火フラットパネル放射器アセンブリ。
【請求項２４】
防火音響放射器アセンブリであって、該防火音響放射器アセンブリは、以下：
　フラットパネル放射器であって、該フラットパネル放射器は、フレームおよび変換器を有し、該フレームは、ダイヤフラムおよびブリッジを支持し、該ブリッジは、該ダイヤフラムに架かって上に横たわり、電子部品を支持し、そして、該変換器は、該ダイヤフラムに作動可能に連結される、フラットパネル放射器；
　第一シェルであって、該第一シェルは、該ブリッジの一面上の該放射器に取り付けられて、該ダイヤフラムの第一部分を覆い、実質的に取り囲む、第一シェル；および
　第二シェルであって、該第二シェルは、該ブリッジの他面上の該放射器に取り付けられて、該ダイヤフラムの第二部分を覆い、実質的に取り囲む、第二シェル；
を含み、
　該ブリッジならびに該第一および第二シェルは、一緒になって、バックボックスを形成し、該バックボックスは、少なくとも、該ダイヤフラムを取り囲み、火災から保護する、
防火音響放射器アセンブリ。
【請求項２５】
前記第一および第二シェルに切り欠き部、ならびに空気透過パネルをさらに含み、該空気透過パネルが、各切り欠き部に取り付けられ、そこに架かって、前記バックボックスへの流れまた空気の出入りを許容する、請求項２４に記載の防火音響放射器アセンブリ。
【請求項２６】
前記空気透過パネルの各々が、シート材料から作製され、該シート材料が、約０立方フィート／平方フィート／分と約３９９立方フィート／平方フィート／分との間のＦｒａｓｉｅｒ空気流れを示す、請求項２５に記載の防火音響放射器アセンブリ。
【請求項２７】
前記空気透過パネルの各々が、繊維ガラス材料から作製される、請求項２６に記載の防火音響放射器アセンブリ。
【請求項２８】
前記繊維ガラス材料が、不織繊維ガラス材料である、請求項２７に記載の防火音響放射器アセンブリ。
【請求項２９】
音響放射器の音響忠実度を維持しつつ、該放射器の火災を受けやすい部品を火災の危険から保護する方法であって、該放射器の該火災を受けやすい部品を耐火バックボックスで覆い取り囲む工程を包含する、方法。
【請求項３０】
前記バックボックスに切り欠き部を形成して、該バックボックスへの空気流れを出入り可能にする工程をさらに包含する、請求項２９に記載の方法。
【請求項３１】
前記切り欠き部を多孔性パネルで覆う工程をさらに包含し、該多孔性パネルが、空気透過シート材料から作製される、請求項３０に記載の方法。
【請求項３２】
前記シート材料が、繊維ガラスシート材料である、請求項３１に記載の方法。
【請求項３３】
前記繊維ガラスシート材料が、不織繊維ガラスシート材料である、請求項３２に記載の方法。
【請求項３４】
防火バックボックスであって、該防火バックボックスは、音響放射器アセンブリの部品を火災の危険から保護するために、該音響放射器アセンブリの裏側に取り付けられ、該バックボックスは、以下：
　本体であって、該本体は、該音響放射器アセンブリの該裏側に収容されるように構成され、該音響放射器の該部品を実質的に覆い、取り囲む、本体；
　開口部であって、該開口部は、該本体に形成され、該バックボックスへの空気流れを出入り可能にする、開口部；および
　多孔性パネルであって、該多孔性パネルは、該開口部に取り付けられ、そこに実質的に架かっている、多孔性パネル、
を含む、バックボックス。
【請求項３５】
前記多孔性パネルが、約０立方フィート／平方フィート／分と約３９９立方フィート／平方フィート／分との間のＦｒａｓｉｅｒ空気流れを示す、請求項３４に記載の防火バックボックス。
【請求項３６】
前記多孔性パネルが、耐火シート材料から形成される、請求項３４に記載の防火バックボックス。
【請求項３７】
前記耐火シート材料が、繊維ガラスシート材料を含む、請求項３６に記載の防火バックボックス。
【請求項３８】
前記繊維ガラスシート材料が、不織繊維ガラスシート材料である、請求項３７に記載の防火バックボックス。
【請求項３９】
前記本体が、ほぼ長方形フラットパネル音響放射器に取り付けるために、ほぼ長方形シェルを形成するように構成される、請求項３４に記載の防火バックボックス。
【請求項４０】
前記ほぼ長方形シェルが、第一シェル部分および第二シェル部分から形成され、該第一シェル部分が、音響放射器の第一部分を覆い、そして該第二シェル部分が、該第一シェル部分から分離し、該音響放射器の第二部分を覆う、請求項３９に記載の防火バックボックス。
【請求項４１】
前記シェル部分が、フラットパネル音響放射器に取り付けられるように構成され、該放射器のブリッジが、該シェル部分間に配置されている、請求項４０に記載の防火バックボックス。
【発明の詳細な説明】
【技術分野】
【０００１】
　本発明は、一般に、吊り天井グリッドに取り付ける音響放射器に関し、さらに具体的には、忠実度が高い音を再生する性能を保持すると同時に、防火標準の音響放射器に関する。
【背景技術】
【０００２】
　フラットパネル音響放射器は、バックグラウンドミュージックおよびページングシステムで使用するために、高い忠実度で音を再生する性能が著しく向上している。このような放射器は、商業的な音響配給システムに特に適しており、ますます多く使用されている。このようなシステムでは、空間に音を投射するために、その空間に下向きに面している吊り天井のグリッドワーク内に、フラットパネル放射器が取り付けられている。この放射器の後部または背部は、それゆえ、プレナム空間、すなわち、吊り天井の平面よりも上の空間に位置している。多く場合、これらのフラットパネル音響放射器は、事実上、その放射器を取り囲む標準的な天井タイルとは、外観上、区別できないが、それでも、驚くほどの忠実度で、音を再生し得る。音は、主に、このパネルにおいて、分散モードの再生によって再生されるので、その空間内にいる人には、この空間全体にわたって、均一で心地よいと知覚される。
【０００３】
　忠実度が高いフラットパネル音響放射器の１つは、Ｒｏｙらの特許文献１で開示され特許請求されており、この特許は、本発明の譲渡人に譲渡され、その内容は、本明細書中で参考として援用されている。この特許で開示された音響放射器は、金属フレームを含み、これは、吊り天井グリッドの開口部内に嵌るような大きさにされている。このフレーム内には、放射器パネルまたはダイヤフラムが取り付けられ、これは、弾力性発泡体アイソレータで支持されており、このアイソレータは、それを取り囲む天井グリッドからの振動を隔離しつつ、このパネルの振動を促進して、音を生じる。この金属フレームの反対側には、その末端にて、剛性金属ブリッジが取り付けられ、これは、このダイアフラムのすぐ上で、このフレームに架かっている。このブリッジは、このシステムの種々の電子部品およびコネクタを収容し、また、このダイヤフラムに作動可能に連結された１個またはそれ以上の磁気変換器を支持し得る。これらの変換器は、オーディオプログラムに対応する電気信号を、対応する振動運動に変換し、これは、このオーディオプログラムを再生するために、このダイヤフラムに与えられる。ブリッジを取り付けた変換器配列は、さらに重厚なマグネット構造を考慮して、また、そのダイヤフラムがフレーム内で自由に浮遊できるように、特に、その変換器の重量がブリッジで支えられるので、このようなフラットパネルの忠実度を高めることが分かっている。他の類似のフラットパネル放射器設計は、係属中の特許文献２（これは、Ｆｌａｔ　Ｐａｎｅｌ　Ｓｏｕｎｄ　Ｒａｄｉａｔｏｒ　ｗｉｔｈ　Ｓｕｐｐｏｒｔｅｄ　Ｅｘｃｉｔｅｒ　ａｎｄ　Ｃｏｍｐｌｉａｎｔ　Ｓｕｒｒｏｕｎｄの表題である）および特許文献３（これは、Ｆｌａｔ　Ｐａｎｅｌ　Ｓｏｕｎｄ　Ｒａｄｉａｔｏｒ　ｗｉｔｈ　Ｅｎｈａｎｃｅｄ　Ａｕｄｉｏ　Ｐｅｒｆｏｒｍａｎｃｅの表題である）で開示されており、これらの特許出願の各々は、本発明の譲渡人が所有しており、その内容は、本明細書中で参考として援用されている。
【０００４】
　吊り天井に設置するフラットパネル音響放射器は、実際、著しく改良されており、商業地区において、より至る所に分布するようになっているが、それにも関わらず、いくつかの障害に直面している。例えば、忠実度が高い音を達成するためにフラットパネル音響放射器を製造する際に典型的に使用される材料の一部（例えば、クラフト紙およびプラスチックダイヤフラムおよび発泡体アイソレータ）は、本質的に、プレナム空間で火災が起こった場合、火災の危険（例えば、熱、煙、火炎および燃え立つ破片）に耐性ではない。このことは、建築基準法に基づいて吊り天井の上のプレナム空間に取り付けられる全ての製品が防火標準である必要がある場合、重大な問題であり得る。事実、一部のフラットパネル放射器は、Ｕｎｄｅｒｗｒｉｔｅｒｓ　Ｌａｂｏｒａｔｏｒｙ（ＵＬ）標準防火試験ＵＬ２０４３に合格できておらず、「防火標準」とは分類できないので、事実上、使用できない。本明細書中で使用する「防火標準（ｆｉｒｅ　ｒａｔｅｄ）」という用語は、特定の防火試験法（例えば、エアハンドリング空間に設置された個別製品およびそれらの付属品について、熱および目に見える煙の放出に関する上記ＵＬ２０４３防火試験）の要件に適合することを意味する。
【０００５】
　フラットパネル放射器アセンブリの防火性能を向上させる１つの可能な方法には、このアセンブリの背部を金属ボックスで取り囲んで、それにより、このダイヤフラムおよび火災の影響を受けやすい他の部品を、このプレナム空間内での何らかの火災の危険から切り離すことがある。残念なことに、これはまた、特に、このボックス内に捕捉された空気がダイヤフラムの振動を鈍らせるように作用するので、また、ボックスで音響の共鳴および反射が形成される（これは、次いで、このダイヤフラムを通って、その下の空間に伝達される）ので、この放射器アセンブリによって再生されるオーディオ材料の忠実度を著しく低下させるという影響がある。この問題の他の可能な解決法には、このシステムの種々の部品（すなわち、ダイヤフラムおよび発泡体アイソレータ）を、防火特性を改良した材料から製造することがある。残念なことに、防火特性が良好であるかそれを改良した材料は、忠実度が高い音を発生させる助けにはなり得ないので、実用的な解決法にはなり得ない。
【特許文献１】米国特許第６，３８６，３１５号明細書
【特許文献２】米国特許出願第１０／００３，９２９号明細書
【特許文献３】米国特許出願第１０／００３，９２８号明細書
【発明の開示】
【発明が解決しようとする課題】
【０００６】
　従って、吊り天井環境で使用するための忠実度が高いフラットパネル音響放射器システムであって、最も厳格な防火試験および建築基準法も満たす優れた防火性能も与えるシステムが必要とされている。このようなシステムは、そのシステムの火災に影響されやすい部品を、火災、熱、煙および燃えている破片から保護すると同時に、現在の忠実度が高いフラットパネル放射器から発生する音と、忠実度の点で、事実上区別できない音を発生するべきである。本発明が目指しているのは、このような忠実度が高いフラットパネル音響放射器システムの提供であるが、その概念は、同様に、他のいずれの種類の音響放射器（例えば、伝統的な円錐形またはピストン型の拡声器）に適用できる。
【課題を解決するための手段】
【０００７】
　１つの局面において、本発明は、防火音響放射器アセンブリを提供し、この防火音響放射器アセンブリは、以下：
　音響放射器であって、この音響放射器は、フレームを有し、このフレームは、ダイヤフラムを支持する、音響放射器；
　変換器であって、この変換器は、このダイヤフラムで再生されるオーディオプログラムに対応して、このダイヤフラムに振動運動を与えるために、このダイヤフラムに作動可能に連結される、変換器；および
　防火バックボックスであって、この防火バックボックスは、この放射器に取り付けられ、この放射器は、このダイヤフラムを覆って実質的に取り囲み、このバックボックスは、その中に形成される開口部を有する、防火バックボックス、
を含む。
【０００８】
　１つの実施形態において、上記開口部が、上記バックボックスにおける切り欠きにより形成され、さらに、多孔性パネルを含み、この多孔性パネルが、この切り欠きに取り付けられ、そこに架かっている。
【０００９】
　１つの実施形態において、上記多孔性パネルが、約０立方フィート／平方フィート／分と約３９９立方フィート／平方フィート／分との間のＦｒａｓｉｅｒ空気流れを示す。
【００１０】
　１つの実施形態において、上記多孔性パネルが、防火シート材料から形成される。
【００１１】
　１つの実施形態において、上記多孔性パネルが、繊維ガラスシート材料から作製される。
【００１２】
　１つの実施形態において、上記多孔性パネルが、不織繊維ガラスシート材料から作製される。
【００１３】
　１つの実施形態において、上記多孔性パネルが、織りまたは不織シート材料から作製される。
【００１４】
　１つの実施形態において、上記織りまたは不織シート材料が、織りまたは不織繊維ガラスシート材料である。
【００１５】
　別の局面において、本発明は、防火フラットパネル放射器アセンブリを提供し、この防火フラットパネル放射器アセンブリは、以下：
　フラットパネル放射器であって、このフラットパネル放射器は、フレームを有し、このフレームは、ダイヤフラムを支持する、フラットパネル放射器；
　変換器であって、この変換器は、このダイヤフラムで再生されるオーディオプログラムに対応して、このダイヤフラムに振動運動を与えるために、このダイヤフラムに作動可能に連結される、変換器；および
　防火バックボックスであって、この防火バックボックスは、この放射器に取り付けられ、この放射器は、このダイヤフラムを覆って実質的に取り囲む、防火バックボックス、
を含む。
【００１６】
　１つの実施形態において、上記バックボックスに形成される切り欠き、および多孔性パネルをさらに含み、この多孔性パネルが、この切り欠きに取り付けられ、そこに架かっている。
【００１７】
　１つの実施形態において、上記多孔性パネルが、約０立方フィート／平方フィート／分と約３９９立方フィート／平方フィート／分との間のＦｒａｓｉｅｒ空気流れを示す。
【００１８】
　１つの実施形態において、上記多孔性パネルが、防火シート材料から形成される。
【００１９】
　１つの実施形態において、上記多孔性パネルが、繊維ガラスシート材料から作製される。
【００２０】
　１つの実施形態において、上記多孔性パネルが、不織繊維ガラスシート材料から作製される。
【００２１】
　１つの実施形態において、上記多孔性パネルが、不織シート材料から作製される。
【００２２】
　１つの実施形態において、上記不織シート材料が、不織繊維ガラスシート材料である。
【００２３】
　１つの実施形態において、上記フラットパネル放射器が、ブリッジを含み、そして上記バックボックスが、第一シェルおよび第二シェルを含み、この第一シェルが、このブリッジの一面に取り付けられて、上記ダイヤフラムの第一部分を覆い、そしてこの第二シェルが、このブリッジの他面に取り付けられて、このダイヤフラムの第二部分を覆う。
【００２４】
　１つの実施形態において、上記シェルの少なくとも１個が、切り欠き部で形成され、さらに、シート材料の多孔性パネルを含み、この多孔性パネルが、この切り欠き部で取り付けられている。
【００２５】
　１つの実施形態において、上記多孔性パネルが、約０立方フィート／平方フィート／分と約３９９立方フィート／平方フィート／分の間のＦｒａｓｉｅｒ空気流れを示す材料から作製される。
【００２６】
　１つの実施形態において、上記多孔性パネルが、不織シート材料から作製される。
【００２７】
　１つの実施形態において、上記多孔性パネルが、繊維ガラス材料から作製される。
【００２８】
　１つの実施形態において、上記シェルの各々が、切り欠き部で形成され、ここで、シート材料の多孔性パネルが、各切り欠き部に取り付けられている。
【００２９】
　１つの実施形態において、上記切り欠き部が、実質的に長方形である。
【００３０】
　別の局面において、本発明は、防火音響放射器アセンブリを提供し、この防火音響放射器アセンブリは、以下：
　フラットパネル放射器であって、このフラットパネル放射器は、フレームおよび変換器を有し、このフレームは、ダイヤフラムおよびブリッジを支持し、このブリッジは、このダイヤフラムに架かって上に横たわり、電子部品を支持し、そして、この変換器は、このダイヤフラムに作動可能に連結される、フラットパネル放射器；
　第一シェルであって、この第一シェルは、このブリッジの一面上のこの放射器に取り付けられて、このダイヤフラムの第一部分を覆い、実質的に取り囲む、第一シェル；および
　第二シェルであって、この第二シェルは、このブリッジの他面上のこの放射器に取り付けられて、このダイヤフラムの第二部分を覆い、実質的に取り囲む、第二シェル；
を含み、
　このブリッジならびにこの第一および第二シェルは、一緒になって、バックボックスを形成し、このバックボックスは、少なくとも、このダイヤフラムを取り囲み、火災から保護する。
【００３１】
　１つの実施形態において、上記第一および第二シェルに切り欠き部、ならびに空気透過パネルをさらに含み、この空気透過パネルが、各切り欠き部に取り付けられ、そこに架かって、上記バックボックスへの流れまた空気の出入りを許容する。
【００３２】
　１つの実施形態において、上記空気透過パネルの各々が、シート材料から作製され、このシート材料が、約０立方フィート／平方フィート／分と約３９９立方フィート／平方フィート／分との間のＦｒａｓｉｅｒ空気流れを示す。
【００３３】
　１つの実施形態において、上記空気透過パネルの各々が、繊維ガラス材料から作製される。
【００３４】
　１つの実施形態において、上記繊維ガラス材料が、不織繊維ガラス材料である。
【００３５】
　別の局面において、本発明は、音響放射器の音響忠実度を維持しつつ、この放射器の火災を受けやすい部品を火災の危険から保護する方法であって、この放射器のこの火災を受けやすい部品を耐火バックボックスで覆い取り囲む工程を包含する、方法を提供する。
【００３６】
　１つの実施形態において、上記バックボックスに切り欠き部を形成して、このバックボックスへの空気流れを出入り可能にする工程をさらに包含する。
【００３７】
　１つの実施形態において、上記切り欠き部を多孔性パネルで覆う工程をさらに包含し、この多孔性パネルが、空気透過シート材料から作製される。
【００３８】
　１つの実施形態において、上記シート材料が、繊維ガラスシート材料である。
【００３９】
　１つの実施形態において、上記繊維ガラスシート材料が、不織繊維ガラスシート材料である。
【００４０】
　別の局面において、本発明は、防火バックボックスを提供し、この防火バックボックスは、音響放射器アセンブリの部品を火災の危険から保護するために、この音響放射器アセンブリの裏側に取り付けられ、このバックボックスは、以下：
　本体であって、この本体は、この音響放射器アセンブリのこの裏側に収容されるように構成され、この音響放射器のこの部品を実質的に覆い、取り囲む、本体；
　開口部であって、この開口部は、この本体に形成され、このバックボックスへの空気流れを出入り可能にする、開口部；および
　多孔性パネルであって、この多孔性パネルは、この開口部に取り付けられ、そこに実質的に架かっている、多孔性パネル、
を含む。
【００４１】
　１つの実施形態において、上記多孔性パネルが、約０立方フィート／平方フィート／分と約３９９立方フィート／平方フィート／分との間のＦｒａｓｉｅｒ空気流れを示す。
【００４２】
　１つの実施形態において、上記多孔性パネルが、耐火シート材料から形成される。
【００４３】
　１つの実施形態において、上記耐火シート材料が、繊維ガラスシート材料を含む。
【００４４】
　１つの実施形態において、上記繊維ガラスシート材料が、不織繊維ガラスシート材料である。
【００４５】
　１つの実施形態において、上記本体が、ほぼ長方形フラットパネル音響放射器に取り付けるために、ほぼ長方形シェルを形成するように構成される。
【００４６】
　１つの実施形態において、上記ほぼ長方形シェルが、第一シェル部分および第二シェル部分から形成され、この第一シェル部分が、音響放射器の第一部分を覆い、そしてこの第二シェル部分が、この第一シェル部分から分離し、この音響放射器の第二部分を覆う。
【００４７】
　１つの実施形態において、上記シェル部分が、フラットパネル音響放射器に取り付けられるように構成され、この放射器のブリッジが、このシェル部分間に配置されている。
【００４８】
　（発明の要旨）
　簡単に記述すると、本発明は、その好ましい実施形態では、プレナム防火標準を満たすフラットパネル音響放射器アセンブリであって、さらに、バックグラウンドミュージック、ページングおよび他のオーディオ用途のための忠実度が高い音を再生するアセンブリを含む。好ましい実施形態では、この放射器は、長方形金属フレームを含み、これは、オーディオ材料を再生するように設計されたダイヤフラムを支持する。このダイヤフラムは、このフレームにおいて、コンプライアントアイソレータで支持され、このアイソレータは、発泡体で取り囲んだ形状をとり得る。このコンプライアントアイソレータは、このダイアフラムで再生される音の忠実度を高め、そのフレームおよびそれを取り囲む天井グリッド構造体からダイヤフラムを分離する。この金属フレームの対向レッグには、その末端にて、細長ブリッジが装着され、これは、このダイヤフラムの裏面のすぐ上で、このフラットパネル放射器に架かっている。このブリッジは、この放射器の種々の電子部品（例えば、音量調節器、変圧器および接続ワイヤ）を支持する。このブリッジはまた、再生するオーディオプログラムに対応した振動をダイヤフラムに与えるために、このダイヤフラムに作動可能に連結されている１個またはそれ以上の磁気変換器を支持し得る。
【００４９】
　このフレームおよびブリッジには、バックボックスアセンブリが取り付けられ、これは、この音響放射器の後部全体を取り囲むように構成されている。好ましい実施形態では、このバックボックスは、一対のほぼ長方形シェルから形成され、その各々は、このブリッジの対応する側で、この放射器に装着されている。このバックボックスは、それゆえ、このダイヤフラム、発泡体サラウンド、および放射器アセンブリのうちの火災の影響を受けやすい他の部品を取り囲み、それらを、プレナム空間内の周囲の環境から分離する。このプレナムで火災が起こった場合、これらの要素は、このバックボックスアセンブリにより、熱、火炎、煙および燃え立つ破片から保護され、従って、本発明のフラットパネル放射器は、防火標準であり、プレナム防火コードを容易に満たすかそれ以上に優れており、標準的なＵＬ２０４３防火試験に合格する。
【００５０】
　この放射器のダイヤフラムにより再生される音の忠実度に悪影響を与えることなく、このような防火性能を得るために、このバックボックスシェルの上部パネルは、部分的に切り取られ、その切り欠き部に、多孔性材料（例えば、不織繊維ガラスまたは他の適当な材料）の１個またはそれ以上のパネルが取り付けられる。この多孔性材料は、熱および火炎からの十分な保護を与えるが、その多孔性の性質のために、この材料を通って、空気が比較的に自由に流れ得る。結果として、このダイヤフラムは、閉鎖バックボックスの場合のように、このダイヤフラムの背後に捕捉された空気のコンプライアント容量によって弱められることなく、オーディオプログラムを再生するとき、自由に振動する。音を低下させる共鳴および反射もまた、なくされる。従って、本発明のフラットパネル放射器は、オーディオプログラムを忠実に再生し、これは、防火標準のバックボックスが全くない音響放射器と同じか、それより僅かに（しかし、許容できる範囲で）低下される。
【００５１】
　本発明は、それゆえ、吊り天井に設置する防火標準のフラットパネル音響放射器を提供し、フラットパネル放射器（例えば、援用参考文献で開示されたもの）の高い忠実度の音響再生特性を保持している。本発明に基づいて作製した放射器は、容易に、ＵＬ防火試験に合格し、プレナム防火標準要件が厳しい商業用ビルに設置できる。本発明は、吊り天井システム内で同様に適用するとき、任意の拡声器（例えば、伝統的な円錐形またはピストン型の装置）に同様に適用できる。
【００５２】
　本発明のこれらのおよび他の特徴、目的および利点は、以下で簡単に説明する添付の図面と関連して、以下で述べる詳細な説明を検討すると、さらに明らかとなる。
【発明の効果】
【００５３】
　本発明により、吊り天井環境で使用するための忠実度が高いフラットパネル音響放射器システムであって、最も厳格な防火試験および建築基準法も満たす優れた防火性能も与えるシステムが提供される。
【発明を実施するための最良の形態】
【００５４】
　さて、図面（ここで、同じ参照番号は、数枚の図面にわたって、同じ部分を示す）をさらに詳細に参照すると、図１は、本発明の好ましい実施形態を図示しており、本発明者が知る限りにおいて、本発明を実行する最良の形態に相当する。以下の論述では、本発明は、その好ましい実施形態（すなわち、フラットパネル放射器）に関連して、記述されている。しかしながら、本発明は、他の型のプレナム取付拡声器（例えば、伝統的な円錐形スピーカー）にも同様に適用でき、実際、防火標準に合わす必要がある任意のプレナム取付可能構造体に適用できることが当業者に理解できる。
【００５５】
　図面では、フラットパネル音響放射器アセンブリ１１は、フラットパネル放射器１２を含み、これは、長方形金属フレーム１３（これは、音響ダイヤフラム１４を支持する）で形成される。図示した実施形態では、フレーム１３のレッグは、断面が略Ｃ形状であり、このダイヤフラム１４は、コンプライアント発泡体サラウンド１６によって、フレームに取り付けられている。この発泡体サラウンドにより、このダイヤフラムは、移動でき、フレームおよびそれを取り囲む天井グリッド構造体から分離できる。このフレーム、ダイヤフラムおよびダイヤフラム取付構造体は、図面で図示したもの以外の任意の種々の構造をとり得ることが理解され、その一部は、援用参考文献で開示されており、全ては、本発明の範囲内である。この放射器アセンブリの部品の詳細は、援用参考文献である程度詳細に論述されているので、ここでは、詳細に記述する必要はない。しかしながら、一般に、このダイヤフラムは、好ましくは、前部および後部スキンで覆われた蜂の巣コアで形成され、このコアおよびスキンの材料は、このダイヤフラムが高い忠実度の音響再生特性を備えるように、選択される。その周囲は、そのダイヤフラムの周囲を束縛してフレームから振動の断絶を提供するために、連続または不連続なコンプライアント発泡体またはゴム引き材料であり得る。
【００５６】
　フレーム１３の対向レッグには、その末端にて、金属ブリッジ１７が取り付けられ、このブリッジは、ダイヤフラム１４の裏面のすぐ上の放射器に架かっている。このブリッジは、電子機器コンパートメント（これは、このシステムの電子部品１８を収容する）と共に構成され、これらの部品には、援用参考文献で詳述されているように、精巧な搭載オーディオ部品および／または適当な音量調節装置、スイッチ、変圧器、および付属ワイヤが挙げられ得る。このブリッジはまた、変換器１９の磁石構造体を支持し得る。このような変換器の１つは、図示した実施形態で示されているが、このブリッジは、この放射器の設計に依存して、１個より多い変換器を支持し得ることが分かる。この変換器は、再生するオーディオプログラムに対応する電気信号を変換器に送るとき、そのダイヤフラムに振動運動を与えるために、音声コイルアセンブリ（図示せず）によって、このダイヤフラムに作動可能に連結される。この構成では、このブリッジは、この変換器アセンブリの重量の殆どを支持し、これにより、このフラットパネル音響放射器の音響忠実度を高めるために、大きい磁石および音声コイルアセンブリが使用できるようになる。ブリッジ１７の電子機器コンパートメント内の電子部品を覆って火災から保護するために、電子機器コンパートメントカバー２２が構成される。
【００５７】
　防火バックボックスアセンブリ２３は、このフラットパネル放射器に取り付けられるように構成されており、一旦、取り付けられると、ダイヤフラムおよび発泡体サラウンドを含む放射器の背部（これらは、火災の影響を受けやすい）を覆い、そして取り囲む。図示した実施形態では、バックボックスアセンブリ２３は、適当な材料（例えば、アルミニウム）から形成され、ほぼ長方形の第一シェル２４およびほぼ長方形の第二シェル２６を含み、この第一シェルは、ブリッジ１７の一面で、この放射器の一部を覆い、そしてこの第二シェルは、ブリッジ１７の他面で、この放射器の一部を覆う。このバックボックスアセンブリの形状は、それを装着するフラットパネル放射器の形状に依存して、図面で図示したものとは異なり得ることが理解されるはずである。このことに関して、重要なことは、火災の影響を受けやすい部品の被覆および保護であるが、この目的を達成するには、このバックボックスの特定の形状をかならずしも必要としない。
【００５８】
　第一および第二シェル２４および２６は、それぞれ、末端パネル２７、側方パネル２８および上部パネル２９と共に形成される。各シェルの上部パネル２９は、中心切り欠き部３１を備えている。図示した実施形態では、切り欠き部３１は、長方形であり、各々は比較的に薄いカルトゥーシュ（ｃａｒｔｏｕｃｈ）またはフレーム３２で取り囲まれている。しかしながら、他の形状の切り欠き部（例えば、円形または楕円形の切り欠き部）もまた、本発明の範囲内で備えられ得ることが理解されるはずである。多孔性パネル３３は、各切り欠き部３１に取り付けられ、そして、それらにまたがる。好ましい実施形態では、各多孔性パネルは、接着剤で、この上部パネルの下面に取り付けられ、周囲フレーム３２で支持されるが、この多孔性パネルは、望ましい場合、種々の他の様式で、取り付けられ得る。多孔性パネル３３は、好ましくは、プレナム火災の場合に、熱、火炎、および燃え立つ破片に耐性である材料であるが、また、このフラットパネル放射器に装着したとき、空気透過性で、このバックボックスに比較的自由に空気を出入りさせる材料から作製される。このことに関して、Ｏｗｅｎｓ　Ｃｏｒｎｉｎｇ社製の不織繊維ガラスシート材料の１層またはそれ以上は、多孔性材料として、見事に機能することが発見されている。しかしながら、他の多孔性材料が選択され得、必要な防火特性および空気流動特性を示す任意のこのような材料は、本発明の範囲内であると考えられる。
【００５９】
　図２は、組み立てたときに見える本発明の防火フラットパネル放射器を図示している。第一シェル２４は、ブリッジ１７の一面でパネルの一部を覆い、そして取り囲んで、このフラットパネル放射器に取り付けられ、また、第二シェル２６は、このブリッジ１７の他面でパネルの一部を覆い、そして取り囲んで、この放射器に取り付けられる。このブリッジそれ自体は、このダイヤフラムの中心部、サラウンド、およびブリッジの下の他の部品を覆う。電子機器カバー２２は、頂上に取り付けられ、そしてブリッジの電子機器コンパートメントにある電子部品を覆う。これらのシェルおよび電気機器カバーは、任意の適当な様式で、このフラットパネル放射器に固定され得る（例えば、ポップリベットまたはネジ３５を使って、これらの部品によって、このブリッジのフランジ２１（図１）に固定される）。このバックボックスアセンブリをフラットパネル放射器に固定するいずれの方法も、本発明に包含されるとみなすべきである。
【００６０】
　図２で図示しているようにして、このバックボックスアセンブリおよび電子機器カバーを装着して、このフラットパネル放射器の裏面全体（これは、この放射器を吊り天井グリッドに設置する場合、そのプレナムに面し、そして配置されている）は、このバックボックスおよびブリッジの組合せで覆われ、その中に封入されている。従って、火災の影響を受けやすい部品（例えば、ダイヤフラムおよび発泡体サラウンド）は、このプレナム空間内の周囲の環境から完全に分離され、保護されている。プレナムが火災になった場合、これらの部品は、熱、火炎、煙、および燃え立つ破片から保護され、このフラットパネル放射器アセンブリは、プレナム防火標準要件を満たすか、それより優れている。さらに、本発明のアセンブリは、プレナム取付構造体に標準的なＵＬ２０４３防火試験にかけると、この試験に簡単に合格した。それに加えて、この多孔性材料により、このダイヤフラムの裏面の上の閉鎖空間に、空気の比較的に自由な流れが出入りできるため、このダイヤフラムの振動運動は、著しく弱められることがないか、そうでなければ、捕捉された空気の容量によって影響を受けず、このバックボックス内にて、音響共鳴が起こらない。結果として、本発明のフラットパネル放射器は、防火標準であることに加えて、バックボックスを全く有さないフラットパネル放射器と実質的に同じかそれより僅かだけ低下した忠実度で、オーディオを再生する。
【００６１】
　図３は、再生された音の忠実度がそれ程重要ではない場合のフラットパネル放射器との併用に関する本発明の別の実施形態を図示している。この実施形態では、シェル４２および４３は、上記のように、ブリッジ４１のいずれかの側に取り付けられ、このダイヤフラムおよび下にある他の部品を覆う。各シェルは、末端パネル４４、側面パネル４６および上部パネル４７を有する。しかしながら、この実施形態では、この上部パネルは、切り欠き部および多孔性パネルを備えておらず、その代わりに、この上部パネルは中実金属パネルである。この実施形態は、火災からの十二分な保護を与える一方、このパネルにより再生される音の忠実度の際だった低下が得られる。しかしながら、ある用途（例えば、純粋なページング、騒音発生の遮蔽など）では、音響忠実度は、他の用途（例えば、高い忠実度のバックグラウンドミュージックを発生させる必要がある場合）ほどには重要ではない。これらの場合、図３の中実バックボックス形状は、吊り天井への設置に関する防火フラットパネル放射器の提供に十二分であることが判明した。
【００６２】
　吊り天井グリッドに設置する防火フラットパネル放射器アセンブリが提供される。このアセンブリは、フレームを有するフラットパネル放射器を含み、このフレームは、音響ダイヤフラムを支持し、この音響ダイヤフラムは、変換器により駆動されて、オーディオプログラムを再生する。この放射器には、バックボックスが取り付けられ、このバックボックスは、このダイヤフラム、および放射器のうち火災の影響を受けやすい他の部品を覆い、取り囲む。このバックボックスには、切り欠き部が備え付けられ、これは、空気透過パネルで覆われ、このパネルは、火災の危険に耐性であるが、このバックボックスに空気流れを出入りさせる。１実施形態では、この放射器は、ブリッジを有し、このバックボックスは、一対のシェルにより形成され、これは、そのブリッジの各側に取り付けられて、このダイヤフラムを取り囲み保護する。その結果、防火フラットパネル放射器アセンブリが得られ、これは、防火バックボックスなしで、フラットパネル音響放射器の音響忠実度を保持しつつ、空気ハンドリングプレナムの防火性能要件を満たす。
【実施例】
【００６３】
　火災から保護する際の本発明の有効性を検証するために、図１および２で示した実施形態に類似したプロトタイプを、プレナム取付構造体用のＵＬ２０４３防火試験にかけたところ、以下の結果が得られた。これらの試験結果から、これらのプロトタイプは、バックボックスなしでは、それらの試験要件の少なくとも１つに合格しなかったが、本発明に基づいてバックボックスを備え付けると、全ての要件に容易に合格したことが理解し得る。
【００６４】
【表１】
2004120744.tif 000003
　それに加えて、オーディオ専門家委員会が、種々の形状のプロトタイプを批評的に聞き、これらの放射器の音響忠実度に対するバックボックスの効果を決定した。各場合において、その多孔性パネルを通る空気の流れを、ｃｕｆｔ／ｓｑｆｔ／ｍｉｎ（これは、Ｆｒａｓｉｅｒ空気流れとして知られている）で測定して、この多孔性パネル材料の空気流れ特性を音響性能と相関させた。この試験の結果は、以下の通りである。
【００６５】
【表２】
2004120744.tif 000004
　従って、本発明は、実際、バックボックス防火が全くない放射器が示す高い忠実度の音響再生特性を維持すると同時に、吊り天井グリッドに取付可能な高い忠実度のフラットパネル音響放射器に対して、改良された防火性能を与えることにより、その請求書の期待に応える前述の試験から理解され得る。
【００６６】
　本発明は、本発明者が本発明を実行する最良の形態であると考える好ましい実施形態および方法の点から、本明細書中に記述される。しかしながら、特許請求の範囲で示す本発明の精神および範囲から逸脱することなく、本明細書中で開示された特定の実施形態に対して、種々の追加、削除および改良を行うことができることは、当業者に理解される。例えば、本発明は、吊り天井システム内で同様に適用するとき、任意の拡声器（例えば、円錐形またはピストン型のスピーカー）に同様に適用できる。実際、上述のように、本発明は、防火標準であることが要求される任意のプレナム取付可能製品に適用できる。
【図面の簡単な説明】
【００６７】
【図１】図１は、忠実度が高い防火フラットパネル音響放射器の分解透視図であり、これは、好ましい形状で、本発明の原理を具体化する。
【図２】図２は、図１のフラットパネル音響放射器の透視図であり、これは、種々の部品を共に組み立てて示している。
【図３】図３は、図１および図２の多孔性パネルがない本発明の代替実施形態の一部の透視図である。
【図１】
2004120744.tif 000005
【図２】
2004120744.tif 000006
【図３】
2004120744.tif 000007